(57)【特許請求の範囲】
【請求項１】
磁気記録媒体の磁気記録層に対して、初期磁化を行った後に磁気的に転写磁化を行う方法であって、
前記磁気記録媒体は、記録される磁化の向きが前記磁気記録層の記録面に対して垂直であり、
前記磁気記録層の記録面に対して、垂直方向、又は、垂直方向および水平方向に極性が変化する交番磁界を印加し、かつ、該交番磁界の強度を経時的に徐々に減少させることによって、該磁気記録層を全領域に渡って消磁する消磁制御工程と、
前記消磁制御工程によって前記磁気記録媒体の前記磁気記録層に初期磁化を行った後の転写磁化を行うに際して、
軟磁性材料からなる複数の軟磁性パターンが記録領域に互いに孤立して周期的に線状に配列された状態で埋設されたマスター用の非磁性基板を用い、
該非磁性基板を前記磁気記録媒体の前記記録面に密着又は近接させた状態で、外部の前記記録面に平行な方向から水平磁界を印加して、前記軟磁性パターンとして書込まれているサーボ情報を前記磁気記録媒体の磁気記録層に磁気的に転写を行う転写制御工程と
を具えたことを特徴とする磁気記録媒体の磁気記録制御方法。
【請求項２】
前記消磁制御工程は、
電磁石を用い、
該電磁石が発生する、空間的には所定の位置で、かつ、時間的には極性が変化する交番磁界を発生させることによって、前記磁気記録層を全領域に渡って消磁することを特徴とする請求項１記載の磁気記録媒体の磁気記録制御方法。
【請求項３】
前記消磁制御工程は、
非磁性基体中に複数の互いに分離した永久磁石が埋設された構造を有する磁石ヘッドを用い、
該磁石ヘッドが発生する時間的には一定で、かつ、空間的に極性が変化する交番磁界を発生させることによって、前記磁気記録層を全領域に渡って消磁することを特徴とする請求項１記載の磁気記録媒体の磁気記録制御方法。
【請求項４】
前記磁石ヘッドを、前記磁気記録媒体の記録面に対して垂直な方向に移動させることによって前記交番磁界を発生させることを特徴とする請求項３記載の磁気記録媒体の磁気記録制御方法。
【請求項５】
前記磁石ヘッドを、該磁石ヘッドと前記磁気記録媒体の記録面との間隔を一定に保ったままの状態で、該磁気記録媒体を横断する方向に移動させることによって前記交番磁界を発生させることを特徴とする請求項３記載の磁気記録媒体の磁気記録制御方法。
【請求項６】
前記印加される交番磁界の大きさは、
一度、磁化飽和した後、
Ｈ（ｔ）＝Ａ0・ｇ（ｔ）・ｃｏｓ（２πｆ・ｔ）
ｔ：時間、Ａｏ：最大印加磁界、ｆ：周波数
で表わされるように、極性が正弦関数的に経時変化しながら減少することを特徴とする請求項１ないし５のいずれかに記載の磁気記録媒体の磁気記録制御方法。
【請求項７】
垂直磁気記録媒体の磁気記録層に対して、磁気的に初期磁化し、その後、転写磁化を行う消磁装置であって、
前記磁気記録層の記録面に対して、垂直方向、又は、垂直方向および水平方向に極性が変化する交番磁界を印加し、かつ、該交番磁界の強度を経時的に徐々に減少させることによって、該磁気記録層を全領域に渡って消磁する消磁制御手段と、
軟磁性材料からなる複数の軟磁性パターンが記録領域に互いに孤立して周期的に線状に配列された状態で埋設されたマスター用の非磁性基板を用い、
該非磁性基板を前記垂直磁気記録媒体の前記記録面に密着又は近接させた状態で、外部の前記記録面に平行な方向から水平磁界を印加して、前記軟磁性パターンとして書込まれているサーボ情報を前記初期磁化された垂直磁気記録媒体の磁気記録層に転写磁化を行う転写制御手段と
を具えたことを特徴とする磁気記録制御装置。
【発明の詳細な説明】
【０００１】
【発明の属する技術分野】
本発明は、特に、磁気記録媒体の記録面に対して、記録する磁化の向きが垂直な方向（いわゆる、垂直磁気記録媒体）に対する磁気転写技術に利用することが可能な、磁気記録媒体の磁気記録制御方法、および、磁気記録制御装置に関する。
【０００２】
【従来の技術】
従来における磁気転写技術を例を挙げて説明する。
【０００３】
（従来例１）
第１の従来例を、図１５および図１６に基づいて説明する。
【０００４】
図１５および図１６は、磁気記録媒体の記録面に対して磁気転写を行う磁気転写技術の原理を説明したものである。
【０００５】
図１５は、磁気記録媒体（いわゆる長手磁気記録媒体）の記録面に対して水平方向に記録を行う例を示す。図１５（ａ）は初期磁化の工程、図１５（ｂ）は転写磁化の工程をそれぞれ示す。
【０００６】
矢印方向に回転可能なスピンドル・ステージ６上には、長手磁気記録媒体としての磁気記録ディスク２が設置されている。この磁気記録ディスク２の記録面に対して上方に間隔Ｄｉだけ離れた位置には、磁石３ａとヨーク３ｂとからなるリング型ヘッド３が配置されている。さらに、磁気記録ディスク２の記録面の上方には、複数の軟磁性パターン５ａを有するマスターディスク５が配置されている。
【０００７】
リング型ヘッド３が発生する磁界の向きは、磁気記録ディスク２の周方向に平行な方向（すなわち水平方向Ｘ）であり、初期磁化の工程と転写磁化の工程とでは互いに反対向きになるように印加される。
【０００８】
そして、長手磁気記録媒体への記録に際しては、まず、図１５（ａ）に示すように、リング型ヘッド３を用いて面内の一方向に磁化（初期磁化）される。
【０００９】
その後、図１５（ｂ）に示すように、リング型ヘッド３を磁気記録ディスク２に対して間隔Ｄｉから間隔Ｄｐまで近づけた状態にして、初期磁化と反対向きの磁界が、互いに密着された状態のマスターディスク５と磁気記録ディスク２とに印加される。
【００１０】
リング型ヘッド３から発生された磁界は、軟磁性パターンがある場所では透磁率の大きな軟磁性パターン５ａに集束されるため、媒体の初期磁化を反転することはできないが、軟磁性パターン５ａのない場所では洩れ磁界となって媒体の初期磁化を反転する。
【００１１】
このようにして、マスターディスク５の軟磁性パターン５ａは、長手方向（すなわち水平方向Ｘ）の互いに反対向きの磁化のパターンとして記録される。
【００１２】
以上説明したような原理から、長手磁気記録媒体に対する磁気転写方式では、初期磁化の工程と転写磁化の工程では、印加磁界の向きが互いに反対方向であることが必要である。
【００１３】
図１６は、磁気記録媒体（いわゆる、垂直磁気記録媒体）の記録面に対して垂直方向Ｙに記録を行う例を示す。図１６（ａ）は初期磁化の工程、図１６（ｂ）は転写磁化の工程をそれぞれ示す。
【００１４】
この垂直磁気記録媒体に対する磁気転写方式においては、印加される磁界の方向が上記例の水平方向Ｘから垂直方向Ｙに変わるだけである。印加磁界の方向は、初期磁化と転写磁化とで互いに反対方向となる。
【００１５】
また、上記長手磁気記録媒体に対する磁気転写方式の場合と同様な原理から、初期磁化の工程と転写磁化の工程とでは、互いに印加する磁界の向きが反対方向であることが必要である。
【００１６】
（従来例２）
第２の従来例を、図１７および図１８に基づいて説明する。
【００１７】
図１７（ａ），（ｂ）は、磁気記録ディスク２の初期磁化の工程に関する例である。
【００１８】
図１７（ａ）において、２個の単磁極ヘッド（永久磁石）１は、磁気記録ディスク２を挟んで上下方向（垂直方向Ｙ）に対称に配置されている。
【００１９】
この２個の単磁極ヘッド１の各磁極から等距離Ｄにある対称面０に磁気記録ディスク２の転写される面が一致するように、スピンドル・ステージ６に真空チャックされた磁気記録ディスク２が挿入される。
【００２０】
このとき、２個の単磁極ヘッド１が対称面上に作る磁界の垂直成分の大きさは数Ｏｅであり、現在用いられている媒体の保磁力Ｈｃ［〜３０００（Ｏｅ）］に比べて十分に小さい。また、このときの間隔Ｄは５ｃｍ〜１０ｃｍの範囲にある。
【００２１】
図１７（ｂ）において、図１７（ａ）のＤの位置にある１組の単磁極ヘッド１は、媒体面が位置する対称面に対して対称な配置を保ちながら互いに間隔がＤｉになるまで媒体に近づく。
【００２２】
その後、スピンドル・ステージ６が回転することによって、磁気記録ディスク２の全面が（対称面に垂直な）一方向に磁化される。
【００２３】
このとき、間隔Ｄｉは２ｍｍ〜３ｍｍであり、磁気記録ディスク２に印加される磁界の垂直成分（記録面に対して）の大きさは５０００〜６０００（Ｏｅ）である。
【００２４】
図１８（ａ），（ｂ）は、磁気記録ディスク２の転写工程に関する例である。
【００２５】
図１８（ａ）において、対称に配置された２個のリング型ヘッド（永久磁石）３のギャップから等距離Ｄにある対称面０に磁気記録ディスク２の転写される面が一致するように、２個のリング型ヘッド３の間にスピンドル・ステージ６に真空チャックされた磁気記録ディスク２が挿入される。その後、マスターディスク５が磁気記録ディスク２に密着される。
【００２６】
このとき、２個のリング型ヘッド３が対称面上に作る磁界の垂直成分又は水平成分の大きさは数Ｏｅであり、現在用いられている媒体の保磁力Ｈｃ［〜３０００（Ｏｅ）］に比べて十分に小さいため、まだ転写は行われない。また、このときの間隔Ｄは、図１７（ａ）と同じく５ｃｍ〜１０ｃｍである。
【００２７】
図１８（ｂ）において、図１８（ｃ）に示した位置Ｄと同様の位置にある一組のリング型ヘッド３は媒体面が位置する対称面に対して対称な配置を保ちながら互いに間隔がＤｐになるまで近づく。
【００２８】
その後、スピンドル・ステージ６が回転することによって、磁気記録ディスク２の全面に磁気転写が行われる。このときの間隔Ｄｐは、３ｍｍ〜５ｍｍである。
【００２９】
【発明が解決しようとする課題】
図１９および図２０は、マスターディスク５に埋め込まれた軟磁性パターン５ａにリング型ヘッド３を用いて、水平方向Ｘの磁界が印加された場合の軟磁性パターン５ａ直下の媒体表面の磁界分布を表している。
【００３０】
図１９は、磁界の水平成分の分布を示す。
【００３１】
前述した図１５を用いて述べた長手磁気記録媒体への転写は、図１９の磁界の水平成分によって行われる。図１９において、磁界の大きさは全て正の向きになっており、水平成分は一方向のみを向いている。このようなことから、前述したように長手磁気記録媒体の初期磁化の向きは、転写磁界の方向とは反対向きである必要がある。
【００３２】
しかし、垂直方向Ｙへの磁化に対しては問題がある。
【００３３】
図２０は、磁界の垂直成分の分布を示す。
【００３４】
図２０において、磁界の垂直成分の分布を見ると、垂直成分の向きは、軟磁性パターン５ａの１周期の間に正と負との２つの向きのピークを持っている。したがって、媒体が予め一方向に初期磁化されていなくとも（媒体が明確な方向にあらかじめ磁化されていなくとも）、軟磁性パターン５ａを転写できることを表している。
【００３５】
図２１は、磁気記録媒体の記録層をスパッタ法で成膜した後、該媒体を特別な強い磁界の下に置くことなく、前述した図１８に示した転写磁化の工程だけを行い、読み出された転写信号８の波形を示す。
【００３６】
上向きの転写信号強度Ｄａと、下向きの転写信号強度Ｄｂとは互いに等しく、対称的な転写信号８が得られることがわかる。すなわち、図１８の転写方式によれば、予め媒体を一方向に初期磁化しておく必要がない。
【００３７】
一方、図２２は、磁気記録媒体を、前述した図１７に示した初期磁化の工程で垂直な一方向への初期磁化した後、図１８の転写磁化の工程で転写磁化を行った場合の転写信号８を示したものである。
【００３８】
この図２２からわかるように、転写信号強度Ｄａ＜Ｄｂの非対称な転写信号８の波形となる。このように、転写信号強度ＤａとＤｂとが互いに等しい波形にならない原因は、予め図１７の初期磁化において磁気記録媒体がどちらか一方向に磁化されているため、図１８の転写磁化の工程によって図２０に示すような互いに反対で大きさの等しい磁界を印加しても、記録される上向きの磁化の大きさと下向きの磁化の大きさとを同じくすることが困難なためと考えられる。
【００３９】
このように転写磁化の工程において転写信号強度Ｄａ＜Ｄｂの非対称な関係のままでいると、転写磁化の工程において正常な記録を行うことができないという問題がある。
【００４０】
そこで、本発明の目的は、大きさが等しく対称な転写信号波形を再現性よく与え、信頼性の高い磁気転写を行うことが可能な磁気記録媒体の磁気記録制御方法、および、磁気記録制御装置を提供することある。
【００４１】
【課題を解決するための手段】
本発明は、磁気記録媒体の磁気記録層に対して、初期磁化を行った後に磁気的に転写磁化を行う方法であって、前記磁気記録媒体は、記録される磁化の向きが前記磁気記録層の記録面に対して垂直であり、前記磁気記録層の記録面に対して、垂直方向、又は、垂直方向および水平方向に極性が変化する交番磁界を印加し、かつ、該交番磁界の強度を経時的に徐々に減少させることによって、該磁気記録層を全領域に渡って消磁する消磁制御工程と、前記消磁制御工程によって前記磁気記録媒体の前記磁気記録層に初期磁化を行った後の転写磁化を行うに際して、軟磁性材料からなる複数の軟磁性パターンが記録領域に互いに孤立して周期的に線状に配列された状態で埋設されたマスター用の非磁性基板を用い、該非磁性基板を前記磁気記録媒体の前記記録面に密着又は近接させた状態で、外部の前記記録面に平行な方向から水平磁界を印加して、前記軟磁性パターンとして書込まれているサーボ情報を前記磁気記録媒体の磁気記録層に磁気的に転写を行う転写制御工程とを具えたことを特徴とする。
【００４２】
ここで、電磁石が発生する、空間的には所定の位置でかつ時間的には極性が変化する交番磁界を発生させるか、又は、非磁性基体中に複数の互いに分離した永久磁石が埋設された構造を有する磁石ヘッドが発生する時間的には一定でかつ空間的に極性が変化する交番磁界を発生させることによって、磁気記録層を全領域に渡って消磁してもよい。
【００４３】
前記磁石ヘッドを、前記磁気記録媒体の記録面に対して垂直な方向に移動させるか、又は、該磁石ヘッドと前記磁気記録媒体の記録面との間隔を一定に保ったままの状態で、該磁気記録媒体を横断する方向に移動させることによって、交番磁界を発生させてもよい。
【００４５】
前記印加される交番磁界の大きさは、
一度、磁化飽和した後、
【００４６】
【数２】
Ｈ（ｔ）＝Ａ0・ｇ（ｔ）・ｃｏｓ（２πｆ・ｔ）
ｔ：時間、Ａｏ：最大印加磁界、ｆ：周波数
で表わされるように、極性が正弦関数的に経時変化しながら減少させてもよい。
【００４８】
また、本発明は、垂直磁気記録媒体の磁気記録層に対して、磁気的に初期磁化し、その後、転写磁化を行う消磁装置であって、前記磁気記録層の記録面に対して、垂直方向、又は、垂直方向および水平方向に極性が変化する交番磁界を印加し、かつ、該交番磁界の強度を経時的に徐々に減少させることによって、該磁気記録層を全領域に渡って消磁する消磁制御手段と、軟磁性材料からなる複数の軟磁性パターンが記録領域に互いに孤立して周期的に線状に配列された状態で埋設されたマスター用の非磁性基板を用い、該非磁性基板を前記垂直磁気記録媒体の前記記録面に密着又は近接させた状態で、外部の前記記録面に平行な方向から水平磁界を印加して、前記軟磁性パターンとして書込まれているサーボ情報を前記初期磁化された垂直磁気記録媒体の磁気記録層に転写磁化を行う転写制御手段とを具えたことを特徴とする。
【００４９】
【発明の実施の形態】
以下、図面を参照して、本発明の実施の形態を詳細に説明する。
【００５０】
［概要］
本発明の概要について説明する。
磁気記録媒体としての磁気記録ディスク２の磁気記録層に対して、磁気的に転写磁化を行う前の初期磁化の処理に際して、磁気記録層の記録面に対して、垂直方向Ｙ、又は、垂直方向Ｙおよび水平方向Ｘ双方の時間的な交番磁界（時間的に極性が正弦関数的に変化する磁界）を印加し、かつ、この時間的な交番磁界強度を徐々に減少させることによって、記録面の全面に渡って消磁を行う（以下、ＡＣ消磁方式という）。
【００５１】
以下、具体例を挙げて説明する。
【００５２】
［第１の例］
本発明の第１の実施の形態を、図１〜図５に基づいて説明する。
【００５３】
図１は、本発明に係る初期磁化および転写磁化の記録制御を行う磁気記録制御装置１００の構成、および、記録ヘッド部１１０の構成を示す。
【００５４】
（システム構成）
図１（ａ）は、磁気記録制御装置１００の概略構成を示す。
【００５５】
１１０は、電磁石１０を有する記録ヘッド部である。この電磁石１０は、図１（ｂ）に示すように、鉄心１１とコイル１２とによって構成され、制御信号３０に基づいて磁気記録ディスク２（垂直磁気記録媒体）に対して初期磁化、転写磁化の印加制御を行う。
【００５６】
１２０は、初期磁化の処理の制御を行う消磁制御部である。この消磁制御部１２０は、磁気記録ディスク２の磁気記録層の記録面に対して、垂直方向Ｙ、又は、垂直方向Ｙおよび水平方向Ｘに極性が変化する交番磁界を印加し、かつ、該交番磁界の強度を経時的に徐々に減少させて、該磁気記録層を全領域に渡って消磁する機能を有する。
【００５７】
１３０は、転写磁化の処理の制御を行う転写制御部である。この転写制御部１３０は、マスターディスク５（非磁性基板）を磁気記録ディスク２の記録面に密着又は近接させた状態で、記録面に平行な方向Ｘから水平磁界を印加して、マスターディスク５に軟磁性パターン５ａとして書込まれているサーボ情報を、初期磁化された後の磁気記録ディスク２の磁気記録層に転写磁化を行う機能を有する。マスターディスク５は、軟磁性材料からなる複数の軟磁性パターン５ａが記録領域に互いに孤立して周期的に線状に配列された状態で埋設された構造のものであり、前述した図１８の構造と同様のものである。
【００５８】
１４０は、記録制御の統括的な制御を行うＣＰＵである。１５０は、本発明に係る各種の制御プログラムや動作制御用のプログラムを記録したＲＯＭである。１６０は、各種データの一時的な記憶エリア、演算処理のエリアとして利用されるＲＡＭである。
【００５９】
（磁気記録媒体）
本例では、磁気記録媒体として、記録面である媒体表面に垂直な方向Ｙに磁化容易軸（すなわち、記録される磁化の向きが媒体表面に垂直な方向Ｙの軸）を持つ磁気記録ディスク２（いわゆる、垂直磁気記録媒体）を用いる。
【００６０】
この磁気記録ディスク２は、図１（ｂ）に示すように、記録ヘッド部１１０の鉄心１１のギャップ部分に挿入されている。この磁気記録ヘッド２は、スピンドル・ステージ６に固定され、矢印方向に回転可能とされている。
【００６１】
この磁気記録ディスク２は、例えば、コンピュータの外部記憶装置として主流となっている磁性膜を記録材料として用いるハードディスクドライブ（以下、ＨＤＤという）の記録媒体に適用できるものである。
【００６２】
以下、初期磁化および転写磁化の処理例について説明する。
【００６３】
（初期磁化）
初期磁化の処理においては、図１（ｂ）に示すように、消磁制御部１２０から出力される制御信号３０に基づいて電磁石１０を駆動制御することによって、転写工程前の磁気記録ディスク２の磁気記録層の記録面に対して、垂直方向Ｙ（又は、垂直方向Ｙおよび水平方向Ｘの両方向）に時間的に変化する交番磁界を発生させる。
【００６４】
前述した図１７に対応する初期磁化の処理において、従来の磁気記録ディスク２を一方向に磁化する方式（ＤＣ消磁方式）から、本発明に係るＡＣ消磁方式に変更する。
【００６５】
ここで、ＡＣ消磁方式を、図２に基づいて詳細に説明する。
【００６６】
図２において、Ｍ−Ｈ曲線に示すように、まず、磁気記録ディスク２に大きな磁界Ｈ1を印加することによって磁化飽和させる。次に、この磁界Ｈ1を反対向きの磁界−Ｈ2（｜Ｈ2｜＜｜Ｈ1｜）になるまで徐々に減じ、続いて、磁界−Ｈ2をＨ3（｜Ｈ3｜＜｜Ｈ2｜）まで増加させる。
【００６７】
この増減の操作を交互に多数回繰り返すことによって、やがては磁化率Ｍの大きさをＭ−Ｈ曲線の経路２０に沿ってゼロにする。
【００６８】
図１（ｂ）において、コの字型の軟磁性体からなる鉄心１１のギャップ部の中央に、スピンドル・ステージ６に固定された磁気記録ディスク２が挿入されている。
【００６９】
このような位置関係において、スピンドル・ステージ６が回転（３０００ｒｐｍ）しながら、ギャップ部からの洩れ磁界が印加される。印加磁界の大きさは、一度５０００（Ｏｅ）まで引き上げられた後、
Ｈ（ｔ）＝Ａ0・ｇ（ｔ）・ｃｏｓ（２πｆ・ｔ）    …（１）
で表わされるように、時間的に変化しながら減少する。ここで、ｔは時間、Ａ0は最大印加磁界＝５０００（Ｏｅ）、ｆは周波数＝５０（Ｈｚ）である。関数ｇ（ｔ）は、１から時間とともに一定の割合で（線形に）減少していき、数秒間にゼロになるような関数である。
【００７０】
（転写磁化）
上記初期磁化の処理（すなわち消磁制御）を行った後、以下に示すような転写磁化の処理を行う。
【００７１】
この転写磁化の処理は、前述した図１８の処理と同様な手順によって行うことができる。すなわち、マスターディスク５を磁気記録ディスク２の記録面に密着又は近接させた状態で、その記録面に平行な方向Ｘから水平磁界を印加して、軟磁性パターン５ａとして書込まれているサーボ情報を磁気記録ディスク２の磁気記録層に磁気的に転写を行う。
【００７２】
すなわち、転写磁化の処理において、初期磁化の処理が行われた磁気記録ディスク２の記録面に対して、磁気記録制御装置１００によってデータ書込み／読み出しヘッドの位置決め用サーボ情報を書込む。
【００７３】
このような初期磁化および転写磁化の記録制御を行うことにより、前述した図２１に示したように、ＤａとＤｂとの大きさが等しい対称な転写信号波形を再現性よく得ることができる。
【００７４】
（初期磁化の変形例１）
第１の変形例を、図３に基づいて説明する。
【００７５】
図３は、ディスクの配置構成を変えた場合の例である。
【００７６】
電磁石１０の形状は図１（ｂ）と同じであるが、ここでは、磁気記録ディスク２を縦置きにした場合の構成例を表わしている。１３は、磁気記録ディスク２を保持するためのホルダーである。このような配置によって、幅方向のスリム化を図ることができる。
【００７７】
（初期磁化の変形例２）
第２の変形例を、図４に基づいて説明する。
【００７８】
図４は、磁気記録ディスク２をコの字型の軟磁性体からなる鉄心１１で挟むのではなく、コの字型の軟磁性体からなる鉄心１１と、軟磁性体で形成されたバックポール１６とによって挟んだ配置した例である。
【００７９】
図４（ａ）は平面図であり、図４（ｂ）は図４（ａ）の線分Ａ−Ａ’に沿ったＡＣ消磁用の電磁石１０の断面構造を表わしている。
【００８０】
このような構成では、コの字型の軟磁性体からなる鉄心１１から洩れた磁界は透磁率の高いバックポール１６を通り環流する。この場合、バックポーク１６の単面１４は単面１５よりも数十倍広く形成されているために、単面１４からの洩れ磁界は単面１５からの洩れ磁界の強度よりも十分に小さく初期磁化には寄与せず、ＡＣ消磁は単面１５からの洩れ磁界によって行われる。
【００８１】
（初期磁化の変形例３）
第３の変形例を、図５に基づいて説明する。
【００８２】
図５は、前述した図４のバックポール１６を除いて構成した場合の例である。このような構成においても、前述した例と同様にＡＣ消磁の制御を容易に行うことが可能である。
【００８３】
なお、図３〜図５に示した各変形例において、磁気記録ディスク２に印加される交番磁界の時間変化は、図１の例と同じである。
【００８４】
［第２の例］
本発明の第２の実施の形態を、図６〜図９に基づいて説明する。なお、前述した第１の例と同一部分についてはその説明を省略し、同一符号を付す。
【００８５】
本例では、磁気記録制御装置１００における記録ヘッド部１１０の構成を、前述した電磁石１０から永久磁石に変えた場合の例である。
【００８６】
（記録ヘッド部）
図６（ａ）は記録ヘッド部１１０の平面図、図６（ｂ）はそのＢ−Ｂ’断面図、図６（ｃ）は印加される磁界の分布を示す。
【００８７】
記録ヘッド部１１０は、非磁性基体１９中に複数の互いに分離した単磁極ヘッド１８（永久磁石）が埋め込まれ、磁石のＳ極とＮ極が互いに反転して配列された構造を持つ磁石ヘッド１７を備えている。
【００８８】
この磁気ヘッド１７は、磁気記録ディスク２の上下に２個配置され、消磁制御部１２０によって垂直方向Ｙに移動制御される。
【００８９】
以下、初期磁化の処理例について説明する。
【００９０】
（初期磁化）
初期磁化を行うには、消磁制御部１２０の駆動制御に基づいて磁気ヘッド１７を磁気記録ディスク２の記録面に対して垂直方向Ｘに移動させて、ディスク面とヘッド面との間の間隔Ｄを変えることによって、図６（ｃ）に示すような交番磁界を発生させ、この交番磁界を磁気記録ディスク２に印加することによって行う。
【００９１】
２つの磁石ヘッド１７の中央に配置された磁気記録ディスク２の媒体面での交番磁界は、図６（ｃ）に示すように、時間的には一定で、かつ、空間的には極性が変化するような分布となる。この場合、２つの磁石ヘッド１７の中央では、磁界の水平成分は互いに相殺されるため、磁界の垂直成分の分布として表される。
【００９２】
このような配置状態において、磁気記録ディスク２を回転（３０００ｒｐｍ）させることによって、前述した（１）式で与えられるような徐々に減少していく交番磁界を印加することができる。
【００９３】
ここで、交番磁界を徐々に減少させるためには、磁石と媒体の間隔Ｄを徐々に大きくしていく、すなわち媒体面から徐々に遠ざけていくことによって行う。間隔Ｄの範囲は、２ｍｍ〜８０ｍｍである。
【００９４】
（初期磁化の変形例１）
第１の変形例を、図７に基づいて説明する。
【００９５】
図７（ａ）は、永久磁石を媒体面の片側だけに配置した場合の例である。
【００９６】
図７（ｂ）（ｃ）は、磁気記録ディスク２へ印加される磁界の空間分布を表わしている。
【００９７】
前述した例のように媒体面の両側に対称に磁石を配置した場合には媒体面での磁界の水平成分は相殺されるが、ここでは、片側の磁石ヘッド１７からのみ磁界が媒体面に印加されるため、水平成分も含まれる。
【００９８】
図７（ｂ）は磁界の垂直成分、図７（ｃ）は磁界の水平成分に対応する。このような配置では、磁気記録ディスク２の水平、垂直の両方の磁化成分がＡＣ消磁方式によって消磁される。
【００９９】
（初期磁化の変形例２）
第２の変形例を、図８に基づいて説明する。
【０１００】
図８は、前述した永久磁石を用いた消磁方式を発展させた場合の例である。
【０１０１】
ここでは、磁気ヘッド１７を構成する交互に配置される永久磁石の個数を２個からｎ個へ増やしたものである。ただし、ｎ（上面側では＃１，…，＃ｎ、下面側では＃１’，…，＃ｎ’と付す）は、３，５個などの奇数個でも、４，６個などの偶数個でもよい。
【０１０２】
そして、このような構造の磁気ヘッド１７を、磁気記録ディスク２の上下両面に対称に配置して構成する。これにより、前述した図６（ｃ）と同様な分布をもつ交番磁界を発生することができる。
【０１０３】
（初期磁化の変形例３）
第３の変形例を、図９に基づいて説明する。
【０１０４】
図９は、前述した第１および第２の変形例をさらに発展させた場合の例である。
【０１０５】
磁気ヘッド１７の内部は、前述した図８に示した第２の変形例と同様な構造とする。また、その磁気ヘッド１７の配置は、図７に示した第１の変形例と同様に媒体面の片側だけにする。これにより、前述した図７（ｂ）（ｃ）と同様な分布をもつ交番磁界を発生することができる。
【０１０６】
［第３の例］
本発明の第３の実施の形態を、図１０〜図１３に基づいて説明する。なお、前述した各例と同一部分についてはその説明を省略し、同一符号を付す。
【０１０７】
前述した永久磁石を用いたＡＣ消磁方式による第２の例は、印加磁界の大きさを徐々に小さくしていくために、磁気記録ディスク２の媒体面から永久磁石までの間隔Ｄ（媒体面に垂直方向Ｙの距離）を徐々に大きくしていく方式であった。
【０１０８】
これに対して、本例では、図１０において、媒体面から永久磁石までの間隔Ｄを一定にしたままの状態で、磁気記録ディスク２を横断する方向（水平方向Ｘ）に移動させることによって、交番磁界を発生させてＡＣ消磁を行うものである。図１０（ａ）は、図１０（ｂ）の線分Ｃ−Ｃ’に沿った断面に対応する。
【０１０９】
以下、初期磁化の処理について説明する。
【０１１０】
図１０（ａ）において、磁気ヘッド１７中には、磁石＃１〜磁石＃ｎのｎ個の磁石が埋め込まれている。磁石＃１の端面は、磁石ヘッド１７の媒体面に一致するように埋め込まれているが、２番目の磁石＃２からｎ番目の磁石＃ｎではヘッド端面から磁石埋込位置までの距離ａiが一定の割合で大きくなるように埋め込まれている。
【０１１１】
ここでは、ａiが最大となるｎ番目の磁石＃ｎでは、ａn＝５ｃｍに設定する。このようにａiが一定の割合で拡大していくことによって、磁気ヘッド１７が媒体面に作る磁界の空間的な分布は、擬似的に、前述した式（１）と同等となる。ｘは磁石ヘッド１７上の位置を表わし、λは波長を表わすもので、磁石＃ｋから磁石＃（ｋ＋２）までの距離に一致する。
【０１１２】
図１０（ｂ）において、回転（３０００ｒｐｍ）している磁気記録ディスク２を挟むようにして消磁用の磁気ヘッド１７が、位置Ｐから位置Ｑまで移動する過程において、ＡＣ消磁を行うことを表わしている。
【０１１３】
このような空間分布を発生する磁気ヘッド１７を位置Ｐから位置Ｑへ移動させることによって、擬似的に時間的に変化する式（１）で表わされる交番磁界を磁気記録ディスク２へ印加することが可能となる。
【０１１４】
（初期磁化の変形例１）
第１の変形例を、図１１に基づいて説明する。
【０１１５】
ここでは、前述した磁石（＃１〜＃ｎ）の埋込位置が異なって埋め込まれている磁気ヘッド１７を、磁気記録ディスク２の片側だけに配置した場合の例である。これにより、前述した図７（ｂ）（ｃ）と同様な分布をもつ交番磁界を発生することができる。
【０１１６】
（初期磁化の変形例２）
第２の変形例を、図１２に基づいて説明する。
【０１１７】
ここでは、磁石ヘッド１７に埋め込まれている深さａiが磁石＃１から磁石＃ｎまでで単調に拡大するのではなく、磁石＃１から徐々に拡大していき、ヘッド中央位置の磁石において最大となり、さらにこの中央位置から徐々に小さくなり、磁石＃ｎでは再びゼロになるように配置した場合の例である。
【０１１８】
磁石ヘッド１７をこのように配置にすることによって、位置Ｐから位置Ｑへの往路（媒体に近づく方向）のみならず復路（媒体から遠ざかる方向）においても安定なＡＣ消磁を行うことが可能となる。これにより、前述した図６（ｃ）と同様な分布をもつ交番磁界を発生することができる。
【０１１９】
（初期磁化の変形例３）
第３の変形例を、図１３に基づいて説明する。
【０１２０】
前述した図１２に示した第２の変形例と同様な構造をもつ磁気ヘッド１７を、媒体面の片側だけにする。これにより、前述した図７（ｂ）（ｃ）と同様な分布をもつ交番磁界を発生することができる。
【０１２１】
［比較例］
次に、従来との比較例を、図１４に基づいて説明する。
【０１２２】
図１４は、本発明により作成される転写信号８の波形を、従来の波形と比較して示したものである。
【０１２３】
図１４（ａ）は、従来の図１７の初期磁化、および、図１８の転写磁化の処理を行った場合における転写信号８の波形である。この場合、転写信号強度Ｄａ＜Ｄｂとなっており、非対称な信号波形となっている。
【０１２４】
一方、図１４（ｂ）は、図６に示す配置から片面側の磁気ヘッド１７を除いた例を用いてＡＣ消磁を行い、その後、図１８の転写方式を用いて転写を行った場合における転写信号８の波形である。この場合、転写信号強度ＤａとＤｂとはほぼ一致して対称な形状の波形が得られていることがわかる。
【０１２５】
以上の比較結果により、本発明の方が対称な転写信号８の波形が与られることから、信頼性の高い記録を行うことができる。
【０１２６】
【発明の効果】
以上説明したように、本発明によれば、転写磁化を行う前の初期磁化を行うに際して、磁気記録媒体の磁気記録層の記録面に対して、垂直方向、又は、垂直方向および水平方向に極性が変化する交番磁界を印加し、かつ、該交番磁界の強度を経時的に徐々に減少させることによって、該磁気記録層を全領域に渡って消磁するようにしたので、その後の転写磁化において大きさが等しく対称な転写信号波形を再現性よく与えることができ、これにより、信頼性の高い磁気転写を行うことができ、ひいては、磁記記録媒体の歩留まりを向上させることができる。
【図面の簡単な説明】
【図１】本発明の第１の実施の形態を示すものであり、（ａ）は磁気記録制御装置の概略構成を示すブロック図、（ｂ）は記録ヘッド部の構成を示す断面図である。
【図２】本発明に係る磁気記録制御おける初期磁化の方法を説明するＭ−Ｈ曲線を示す特性図である。
【図３】初期磁化の第１の変形例を示すものであり、電磁石を有する記録ヘッド部の構成を示す断面図である。
【図４】初期磁化の第２の変形例を示すものであり、（ａ）は電磁石を有する記録ヘッド部の構成を示す平面図、（ｂ）はその記録ヘッド部のＡ−Ａ’断面図である。
【図５】初期磁化の第３の変形例を示すものであり、（ａ）は電磁石を有する記録ヘッド部の構成を示す平面図、（ｂ）はそのＡ−Ａ’断面図である。
【図６】本発明の第２の実施の形態を示すものであり、（ａ）は磁気記録制御装置の記録ヘッド部の概略構成を示すブロック図、（ｂ）はその記録ヘッド部のＢ−Ｂ’断面図、（ｃ）は記録ヘッド部での磁界分布を示す特性図である。
【図７】初期磁化の第１の変形例を示すものであり、（ａ）は永久磁石を有する記録ヘッド部の構成を示す断面図、（ｂ）はその記録ヘッド部による垂直方向の磁界分布を示す特性図、（ｃ）はその記録ヘッド部による水平方向の磁界分布を示す特性図である。
【図８】初期磁化の第２の変形例を示すものであり、永久磁石を有する記録ヘッド部を上下両面に配置した構成を示す断面図である。
【図９】初期磁化の第３の変形例を示すものであり、永久磁石を有する記録ヘッド部を片面に配置した構成を示す断面図である。
【図１０】本発明の第３の実施の形態を示すものであり、（ａ）は磁気記録制御装置の記録ヘッド部の概略構成を示すＣ−Ｃ’断面図、（ｂ）はその記録ヘッド部の平面図である。
【図１１】初期磁化の第１の変形例を示すものであり、図１０の永久磁石を有する記録ヘッド部を片面に配置した構成を示す断面図である。
【図１２】初期磁化の第２の変形例を示すものであり、（ａ）は磁気記録制御装置の記録ヘッド部の概略構成を示すＣ−Ｃ’断面図、（ｂ）はその記録ヘッド部の平面図である。
【図１３】初期磁化の第３の変形例を示すものであり、図１２の永久磁石を有する記録ヘッド部を片面に配置した構成を示す断面図である。
【図１４】転写信号波形の比較例を示すものであり、（ａ）は従来の転写信号波形を示す波形図、（ｂ）は本発明の転写信号波形を示す波形図である。
【図１５】長手磁気記録媒体の記録面に対して水平方向に記録を行う例を示すものであり、（ａ）は初期磁化の工程を示す説明図、（ｂ）は転写磁化の工程を示す説明図である。
【図１６】垂直磁気記録媒体の記録面に対して垂直方向に記録を行う例を示すものであり、（ａ）は初期磁化の工程を示す説明図、（ｂ）は転写磁化の工程を示す説明図である。
【図１７】磁気記録ディスクの初期磁化の工程を示す説明図である。
【図１８】磁気記録ディスクの転写磁化の工程を示す説明図である。
【図１９】磁界の水平成分の分布を示す特性図である。
【図２０】磁界の垂直成分の分布を示す特性図である。
【図２１】図１８に示した転写磁化だけを行って読み出された転写信号の波形を示す説明図である。
【図２２】磁気記録媒体を、図１７に示した垂直な一方向への初期磁化後、図１８の転写磁化を行った場合の転写信号を示す説明図である。
【符号の説明】
１  単磁気ヘッド
２  磁気記録ディスク
３  リング型ヘッド
４  ヨーク
５  マスターディスク
６  スピンドル・ステージ
７  軟磁性パターン
８  転写信号の波形
１０  電磁石
１１  鉄心
１２  コイル
１３  ホルダー
１４  鉄心の端面（広径）
１５  鉄心の端面（狭径）
１６  バックポール
１７  磁気ヘッド
１８  端磁極ヘッド
１９  比磁性基体
２０  経路
３０  制御信号
１００  磁気記録制御装置
１１０  記録ヘッド部
１２０  消磁制御部
１３０  転写制御部
【図１】
0004333018.tif 000002
【図２】
0004333018.tif 000003
【図３】
0004333018.tif 000004
【図４】
0004333018.tif 000005
【図５】
0004333018.tif 000006
【図６】
0004333018.tif 000007
【図７】
0004333018.tif 000008
【図８】
0004333018.tif 000009
【図９】
0004333018.tif 000010
【図１０】
0004333018.tif 000011
【図１１】
0004333018.tif 000012
【図１２】
0004333018.tif 000013
【図１３】
0004333018.tif 000014
【図１４】
0004333018.tif 000015
【図１５】
0004333018.tif 000016
【図１６】
0004333018.tif 000017
【図１７】
0004333018.tif 000018
【図１８】
0004333018.tif 000019
【図１９】
0004333018.tif 000020
【図２０】
0004333018.tif 000021
【図２１】
0004333018.tif 000022
【図２２】
0004333018.tif 000023